Podtech/llm-jp-corpus-v4-ja_patent huggingface dataset:
【手続補正書】
【提出日】平成26年1月22日(2014.1.22)
【手続補正１】
【補正対象書類名】特許請求の範囲
【補正対象項目名】請求項４
【補正方法】変更
【補正の内容】
【請求項４】
前記制御チップは、前記チップ選択信号が前記第１の被制御チップを選択している場合において前記コマンド信号がプリチャージコマンドを示している場合には、前記第１のコマンド信号出力回路を活性化させ、前記チップ選択信号が前記第２の被制御チップを選択している場合において前記コマンド信号が前記プリチャージコマンドを示している場合には、前記第２のコマンド信号出力回路を活性化させることを特徴とする請求項３に記載の半導体装置。
【手続補正２】
【補正対象書類名】特許請求の範囲
【補正対象項目名】請求項５
【補正方法】変更
【補正の内容】
【請求項５】
前記制御チップは、前記チップ選択信号が前記第１の被制御チップを選択している場合において前記コマンド信号がリフレッシュコマンドを示している場合には、前記第１のコマンド信号出力回路を活性化させ、前記チップ選択信号が前記第２の被制御チップを選択している場合において前記コマンド信号が前記リフレッシュコマンドを示している場合には、前記第２のコマンド信号出力回路を活性化させることを特徴とする請求項３又は４に記載の半導体装置。
【手続補正３】
【補正対象書類名】特許請求の範囲
【補正対象項目名】請求項６
【補正方法】変更
【補正の内容】
【請求項６】
前記制御チップは、前記コマンド信号がリードコマンド又はライトコマンドを示している場合には、前記チップ選択信号が前記第１及び第２の被制御チップのいずれを選択しているかに関わらず、前記第３のコマンド信号出力回路を活性化させることを特徴とする請求項３乃至５のいずれか一項に記載の半導体装置。
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
表示手段と撮像手段とを有する画像表示装置のための処理を行う画像処理装置であって、
オブジェクトの反射特性を含むオブジェクトデータを入力する入力手段と、
前記撮像手段により撮像された画像データに基づいて、観察者の観察位置を示す観察位置データと前記撮像手段の周辺の光源を示す光源データとを取得する取得手段と、
前記オブジェクトデータと前記観察位置データと前記光源データとに基づいて、前記オブジェクトにおいて反射した前記光源の光を前記観察位置において観察した場合の画像を示す画像データを生成する生成手段と、
を備えることを特徴とする画像処理装置。
【請求項２】
画像データを撮像する撮像手段と、
オブジェクトの反射特性を含むオブジェクトデータを入力する入力手段と、
前記撮像手段により撮像された画像データに基づいて、観察者の観察位置を示す観察位置データと前記撮像手段の周辺の光源を示す光源データとを取得する取得手段と、
前記オブジェクトデータと前記観察位置データと前記光源データとに基づいて、前記オブジェクトにおいて反射した前記光源の光を前記観察位置において観察した場合の画像を示す画像データを生成する生成手段と、
前記生成手段により生成された画像データを表示する表示手段と、
を備えることを特徴とする画像処理装置。
【請求項３】
前記反射特性は、光の入射角度に応じた反射率を示す情報を含むことを特徴とする、請求項１又は２に記載の画像処理装置。
【請求項４】
前記観察者の観察位置を示す観察位置データは、顔検出により決定されることを特徴とする、請求項１乃至３の何れか１項に記載の画像処理装置。
【請求項５】
前記顔検出において複数の顔が検出された場合、最も大きな顔に基づいて前記観察者の観察位置を示す観察位置データが決定されることを特徴とする、請求項４に記載の画像処理装置。
【請求項６】
前記オブジェクトデータは、前記光源の強度値及び方向と前記観察位置の方向と前記画像の輝度値との関係を示すことを特徴とする、請求項１乃至５の何れか１項に記載の画像処理装置。
【請求項７】
前記オブジェクトデータは、前記光源の強度値と前記画像の輝度値との比を示すことを特徴とする、請求項６に記載の画像処理装置。
【請求項８】
前記光源データは、前記光源の強度値及び方向を示すことを特徴とする、請求項１乃至７の何れか１項に記載の画像処理装置。
【請求項９】
コンピュータを、請求項１乃至８の何れか１項に記載の画像処理装置の入力手段、取得手段、及び生成手段として機能させるためのプログラム。
【請求項１０】
表示手段と撮像手段とを有する画像表示装置のための処理を行う画像処理装置が行う画像処理方法であって、
オブジェクトの反射特性を含むオブジェクトデータを入力する入力工程と、
前記撮像手段により撮像された画像データに基づいて、観察者の観察位置を示す観察位置データと前記撮像手段の周辺の光源を示す光源データとを取得する取得工程と、
前記オブジェクトデータと前記観察位置データと前記光源データとに基づいて、前記オブジェクトにおいて反射した前記光源の光を前記観察位置において観察した場合の画像を示す画像データを生成する生成工程と、
を備えることを特徴とする画像処理方法。
【手続補正２】
【補正対象書類名】明細書
【補正対象項目名】０００７
【補正方法】変更
【補正の内容】
【０００７】
本発明の目的を達成するために、例えば、本発明の画像出力装置は以下の構成を備える。すなわち、
表示手段と撮像手段とを有する画像表示装置のための処理を行う画像処理装置であって、
オブジェクトの反射特性を含むオブジェクトデータを入力する入力手段と、
前記撮像手段により撮像された画像データに基づいて、観察者の観察位置を示す観察位置データと前記撮像手段の周辺の光源を示す光源データとを取得する取得手段と、
前記オブジェクトデータと前記観察位置データと前記光源データとに基づいて、前記オブジェクトにおいて反射した前記光源の光を前記観察位置において観察した場合の画像を示す画像データを生成する生成手段と、
を備える。
【手続補正３】
【補正対象書類名】明細書
【補正対象項目名】発明の名称
【補正方法】変更
【補正の内容】
【発明の名称】画像処理装置、画像処理方法、及びプログラム
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
スキャニング装置によりシーケンスで取り込んだ画像フレームの複数のペアの位置合わせで蓄積されたエラーを補正する画像処理装置であって、
プロセッサーを有し、
前記プロセッサーは、
第１画像フレームが第２画像フレームと重なる個所で閉鎖ループを特定するステップであって、前記第２画像フレームは前記シーケンスにおいて前記第１画像フレームの前に取り込まれるステップと、
前記第１フレームを前記第２画像フレームと位置合わせするステップと、
グローバルな制約を用いてグローバルな最適化を適用し、閉鎖ループ内における前記画像フレームの複数のペアの位置合わせに対する位置合わせパラメーターを調節するステップと、
を実行する、画像処理装置。
【請求項２】
前記プロセッサーはさらに、
前記閉鎖ループにおいて位置合わせの中断を特定するステップであって、前記位置合わせの中断は前記シーケンスにおいて２つの連続フレームｉおよびｉ＋１の間にあるステップと、
前記閉鎖ループにおけるすべての位置合わせエラーをフレームｉおよびｉ＋１間のペアの位置合わせに割り当てるステップと、
前記フレームｉおよびｉ＋１の変換行列に従いペアの変換パラメーターを更新するステップとを実行する請求項１に記載の画像処理装置。
【請求項３】
少しずつ移動した位置から画像を繰り返し取得して、画像間の位置合わせで蓄積されたエラーを補正する画像処理装置であって、
プロセッサーを有し、
前記プロセッサーは、
移動が閉鎖ループを形成することを検知するステップと、
前記閉鎖ループを検知した場合に、前記閉鎖ループの開始時の画像と前記閉鎖ループの終了時の画像との実際の位置関係に前記閉鎖ループ中に取得していた画像間の位置関係の累積が一致するように、前記閉鎖ループ中に取得していた画像間の位置関係を補正するステップと、
を実行する、画像処理装置。
【請求項４】
コンピューターで実行される画像処理プログラムであって、
移動が閉鎖ループを形成することを検知するステップと、
前記閉鎖ループを検知した場合に、前記閉鎖ループの開始時の画像と前記閉鎖ループの終了時の画像との実際の位置関係に前記閉鎖ループ中に取得していた画像間の位置関係の累積が一致するように、前記閉鎖ループ中に取得していた画像間の位置関係を補正するステップと、
をコンピューターに実行させる、画像処理プログラム。
【請求項５】
少しずつ移動した位置から画像を繰り返し取得して、取得した画像を融合した融合画像を生成する融合画像生成方法であって、
移動が閉鎖ループを形成することを検知するステップと、
前記閉鎖ループを検知した場合に、前記閉鎖ループの開始時の画像と前記閉鎖ループの終了時の画像との実際の位置関係に前記閉鎖ループ中に取得していた画像間の位置関係の累積が一致するように、前記閉鎖ループ中に取得していた画像間の位置関係を補正するステップと、
補正した位置関係を用いて前記画像を融合するステップと、
を有する融合画像生成方法。
【請求項６】
前記検知は、最新の画像と直前よりも前に取得していた画像とが閾値以上に重なっている場合に、移動が閉鎖ループを形成すると判断する検知である請求項５に記載の融合画像生成方法。
【請求項７】
前記補正は、前記閉鎖ループ中に中断を含む場合、前記中断の前後の画像間の位置関係のみを補正する請求項６に記載の融合画像生成方法。
【手続補正２】
【補正対象書類名】明細書
【補正対象項目名】発明の名称
【補正方法】変更
【補正の内容】
【発明の名称】画像処理装置、画像処理プログラムおよび融合画像生成方法
【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
アノード電極とカソード電極との間に有機層を挟んで成る有機ＥＬ素子を含む画素が行列状に配置され、
前記有機ＥＬ素子は、前記有機層内に画素間で共通に形成された共通層を少なくとも１層含んでおり、
前記アノード電極の周囲を囲み、かつ、前記有機層に対して電気的に接続された金属配線を有し、
前記金属配線の電位は、前記有機ＥＬ素子が非発光時の前記アノード電極の電位よりも低い電位に設定されている
有機ＥＬ表示装置。
【請求項２】
前記有機ＥＬ素子は、白色光を発光する白色有機ＥＬ素子であり、
前記白色有機ＥＬ素子とカラーフィルタとの組み合わせにより、各色光を取り出す
請求項１に記載の有機ＥＬ表示装置。
【請求項３】
前記白色有機ＥＬ素子は、各色光の発光ユニットを複数、接続層を介して直列的に連結して成るタンデム構造である
請求項２に記載の有機ＥＬ表示装置。
【請求項４】
前記共通層は、画素間で共通に形成され、前記有機層に含まれる発光層に電荷を注入する電荷注入層である
請求項１乃至請求項３のいずれか１項に記載の有機ＥＬ表示装置。
【請求項５】
前記金属配線は、前記有機ＥＬ素子が設けられるウインド絶縁膜に形成されたコンタクトホールを介して前記電荷注入層と電気的に接続されている
請求項４に記載の有機ＥＬ表示装置。
【請求項６】
前記共通層は、前記接続層である
請求項３に記載の有機ＥＬ表示装置。
【請求項７】
前記金属配線は、前記アノード電極と同じ層に形成されている
請求項１乃至請求項６のいずれか１項に記載の有機ＥＬ表示装置。
【請求項８】
前記金属配線は、前記アノード電極と同一の材料で形成されている
請求項１乃至請求項７のいずれか１項に記載の有機ＥＬ表示装置。
【請求項９】
前記金属配線の電位は、前記カソード電極の電位に設定されている
請求項１乃至請求項８のいずれか１項に記載の有機ＥＬ表示装置。
【請求項１０】
前記有機ＥＬ素子は、各色の有機ＥＬ材料を、マスクを利用して蒸着で塗り分けることによって形成され、
各色光の前記有機ＥＬ素子には、各有機層に含まれる発光層に電荷を注入する電荷注入層が前記共通層として形成されている
請求項１、請求項５、請求項７乃至請求項９のいずれか１項に記載の有機ＥＬ表示装置。
【請求項１１】
アノード電極とカソード電極との間に有機層を挟んで成る有機ＥＬ素子を含む画素が行列状に配置され、
前記有機ＥＬ素子は、前記有機層内に画素間で共通に形成された共通層を少なくとも１層含んでおり、
隣接する画素のアノード電極の間に設けられ、かつ、前記有機層に対して直接接触する金属配線を有し、
前記金属配線の電位は、前記有機ＥＬ素子が非発光時の前記アノード電極の電位よりも低い電位に設定されている
有機ＥＬ表示装置。
【請求項１２】
前記有機ＥＬ素子は、白色光を発光する白色有機ＥＬ素子であり、
前記白色有機ＥＬ素子とカラーフィルタとの組み合わせにより、各色光を取り出す
請求項１１に記載の有機ＥＬ表示装置。
【請求項１３】
前記白色有機ＥＬ素子は、各色光の発光ユニットを複数、接続層を介して直列的に連結して成るタンデム構造である
請求項１２に記載の有機ＥＬ表示装置。
【請求項１４】
前記共通層は、画素間で共通に形成され、前記有機層に含まれる発光層に電荷を注入する電荷注入層である
請求項１１乃至請求項１３のいずれか１項に記載の有機ＥＬ表示装置。
【請求項１５】
前記金属配線は、前記有機ＥＬ素子が設けられるウインド絶縁膜に形成されたコンタクトホールを介して前記電荷注入層と直接接触している
請求項１４に記載の有機ＥＬ表示装置。
【請求項１６】
前記共通層は、前記接続層である
請求項１３に記載の有機ＥＬ表示装置。
【請求項１７】
前記金属配線は、前記アノード電極と同じ層に形成されている
請求項１１乃至請求項１６のいずれか１項に記載の有機ＥＬ表示装置。
【請求項１８】
前記金属配線は、前記アノード電極と同一の材料で形成されている
請求項１１乃至請求項１７のいずれか１項に記載の有機ＥＬ表示装置。
【請求項１９】
前記金属配線の電位は、前記カソード電極の電位に設定されている
請求項１１乃至請求項１８のいずれか１項に記載の有機ＥＬ表示装置。
【請求項２０】
前記有機ＥＬ素子は、各色の有機ＥＬ材料を、マスクを利用して蒸着で塗り分けることによって形成され、
各色光の前記有機ＥＬ素子には、各有機層に含まれる発光層に電荷を注入する電荷注入層が前記共通層として形成されている
請求項１１、請求項１５、請求項１７乃至請求項１９のいずれか１項に記載の有機ＥＬ表示装置。
【手続補正２】
【補正対象書類名】明細書
【補正対象項目名】発明の名称
【補正方法】変更
【補正の内容】
【発明の名称】有機ＥＬ表示装置
【手続補正書】
【提出日】平成26年1月20日(2014.1.20)
【手続補正１】
【補正対象書類名】明細書
【補正対象項目名】００２７
【補正方法】変更
【補正の内容】
【００２７】
ここで、信号演算部１０４において行われる、撮像素子１０３から読み出だされた画像信号を表示記録画像の画素数にする処理について説明する。図５は、信号演算部１０４の内部構成を示すブロック図である。図５において、５０１は遅延回路、５０２は加算回路である。選択回路５０３は、演算制御部５０５からの制御により、指示情報生成部１０６で生成された指示情報に従って、入力した画像信号と、加算回路５０２の出力とのうちいずれかを選択する。５０４は記憶部であり、選択回路５０３で選択された信号が記憶される。また、演算制御部５０５は記憶部５０４に対しても、指示情報に応じた制御信号を出力する。
【手続補正２】
【補正対象書類名】明細書
【補正対象項目名】００２９
【補正方法】変更
【補正の内容】
【００２９】
選択制御信号は、演算制御部５０５が指示情報に従って生成した信号である。撮像素子１０３にも送られる指示情報は、画素２０３の２つの光電変換部ＰＤ１、ＰＤ２の信号をタイミング制御回路３０７で加算するか否かを表す情報である。そのため、信号演算部１０４は、この指示情報から、信号演算部１０４に入力される画像信号がタイミング制御回路３０７で加算された信号であるか否かを判別することが可能となる。この指示情報は１画素に対して加算するか否かが表現されている情報であればよく、デジタルコードで１bitで構成してもよい。また、そのようにして構成された指示情報は、演算制御部５０５において選択回路５０３を制御可能なように、図示したようなＨｉ、Ｌｏｗで表された信号に変換することで、選択回路５０３の制御を実現している。ここでは、選択回路５０３は、Ｌｏｗの時に撮像素子１０３から入力した画像信号を選択し、Ｈｉの時に加算回路５０２の出力を選択する。
【手続補正３】
【補正対象書類名】明細書
【補正対象項目名】００３５
【補正方法】変更
【補正の内容】
【００３５】
撮像素子１０３から出力された画像信号は、位相差算出部１０５にも入力され、入力された画像信号を基に、位相差方式の焦点調節ＡＦで用いる位相差が算出される。図７は、位相差算出部１０５の内部構成を示すブロック図である。図７において、７０１は、撮像素子１０３から読みだされた画像信号から、焦点調節領域内の画素の光電変換部ＰＤ１、ＰＤ２の画像信号を判別する判別部である。判別部７０１は、指示情報生成部１０６で生成された、焦点調節領域を示す指示情報に基づいて選択するように構成することも可能であるが、指示情報を用いずに、次のようにして判別するように構成することもできる。即ち、撮像素子１０３から出力されるデジタル化された画像信号に対して、タイミング制御回路３０７において隣り合う２つの光電変換部ＰＤ１、ＰＤ２の出力信号を加算したか否かを判別できるような１bitの情報を付加しておく。この１bitの情報を解析することで判別するように構成することも可能である。
【手続補正４】
【補正対象書類名】明細書
【補正対象項目名】００４１
【補正方法】変更
【補正の内容】
【００４１】
本第２の実施形態においては、信号演算部１０４から出力される表示記録画像を基に、エッジ成分検出部８０１は画像信号に含まれるエッジ成分を検出し、検出したエッジ成分から焦点調節領域を決定し、焦点調節領域情報を出力する。
【手続補正５】
【補正対象書類名】明細書
【補正対象項目名】００４４
【補正方法】変更
【補正の内容】
【００４４】
図１０は、エッジ成分の検出及び焦点調節領域の決定処理のフローチャートである。エッジ成分の検出処理が開始されると、Ｓ２０１において、微分フィルタ９０１で画素毎に勾配値を算出し、絶対値算出部９０２において、算出された勾配値の絶対値を画素毎に算出する。Ｓ２０２では、分割領域絶対値算出部９０３において、絶対値化された画素毎の勾配値を分割領域毎に積算し、分割領域勾配値を算出する。Ｓ２０３で、記憶部９０５に分割領域勾配値を記憶し、Ｓ２０４で記憶部９０５に記憶された分割領域勾配値を基に、焦点調節領域を判定する。ここでは、算出された分割領域勾配値の平均値を閾値とし、該閾値と各分割領域勾配値とを比較して、閾値より大きい分割領域を焦点調節領域候補とする。あるいは、分割領域勾配値の平均値ではなく、予め定められた閾値を用いて焦点調節領域候補を決定してもよい。
【手続補正６】
【補正対象書類名】明細書
【補正対象項目名】００４５
【補正方法】変更
【補正の内容】
【００４５】
図１１は、焦点調節領域判定後の表示記録画像を示している。１１０１は前述した分割領域を示しており、水平８ｘ垂直７の計５６の分割領域に分割され、表示記録画像は図のようなおおまかな区分けが成されている。１１０２は、分割領域勾配値が閾値より大きい分割領域、すなわち、焦点調節領域候補を灰色で示している。このように決定された焦点調節領域候補を含む矩形１１０３の領域が焦点調節領域として決定され、焦点調節領域情報として指示情報生成部１０６へ送られる。
【手続補正７】
【補正対象書類名】明細書
【補正対象項目名】００５５
【補正方法】変更
【補正の内容】
【００５５】
図１６は、コントラスト検出部１５０１の構成を示すブロック図である。１６０１は、分割領域毎に標準偏差を算出する標準偏差算出部である。なお、ここでいう分割領域とは、例えば表示記録画像を縦横にＮｘＭに均等分割することで決定される区画を示している。標準偏差算出部１６０１は、各区画内の画素レベルの標準偏差、すなわち画素レベルの明暗の差を算出する。１６０３は、算出された各分割領域における標準偏差を記憶する記憶部、１６０２は、各分割領域の標準偏差と予め定められた指標値に基づいて、焦点調節領域を決定し、焦点調節領域情報を指示情報生成部１０６へ送る焦点調節領域判定部である。
【手続補正８】
【補正対象書類名】明細書
【補正対象項目名】００５８
【補正方法】変更
【補正の内容】
【００５８】
図１８は、焦点調節領域判定後の表示記録画像を示している。１８０１は前述した分割領域を示しており、水平８ｘ垂直７の計５６の分割領域に分割され、表示記録画像は図のようなおおまかな区分けが成されている。１８０２は、標準偏差が該閾値より大きい分割領域、すなわち、焦点調節領域候補を灰色で示している。このように決定された焦点調節領域候補を含む矩形１８０３の領域が焦点調節領域として決定され、焦点調節領域情報として指示情報生成部１０６へ送られる。
【手続補正９】
【補正対象書類名】図面
【補正対象項目名】図２
【補正方法】変更
【補正の内容】
【図２】
2012155095.tif 000001
【手続補正１０】
【補正対象書類名】図面
【補正対象項目名】図９
【補正方法】変更
【補正の内容】
【図９】
2012155095.tif 000002
【手続補正書】
【提出日】平成26年1月23日(2014.1.23)
【手続補正１】
【補正対象書類名】明細書
【補正対象項目名】００１３
【補正方法】変更
【補正の内容】
【００１３】
上記目的を達成するために、本発明の印刷装置は、シート保持部から給紙されたシートに記録された画像の定着を行う定着器を備える印刷装置であって、前記シート保持部から給紙されたシートによって前記定着器のクリーニングを実行するよう制御する制御手段と、前記制御手段によって前記定着器のクリーニングが実行された後、前記定着器のクリーニングの実行後の印刷に用いられるシートを前記シート保持部にセットするようユーザに促す通知手段とを備えることを特徴とする。
【手続補正２】
【補正対象書類名】特許請求の範囲
【補正対象項目名】全文
【補正方法】変更
【補正の内容】
【特許請求の範囲】
【請求項１】
シート保持部から給紙されたシートに記録された画像の定着を行う定着器を備える印刷装置であって、
前記シート保持部から給紙されたシートによって前記定着器のクリーニングを実行するよう制御する制御手段と、
前記制御手段によって前記定着器のクリーニングが実行された後、前記定着器のクリーニングの実行後の印刷に用いられるシートを前記シート保持部にセットするようユーザに促す通知手段とを備えることを特徴とする印刷装置。
【請求項２】
前記通知手段は、前記制御手段によって前記定着器のクリーニングが実行された後、前記定着器のクリーニングの実行後の印刷に用いられるサイズのシートを前記シート保持部にセットするようユーザに促すことを特徴とする請求項１に記載の印刷装置。
【請求項３】
前記通知手段は、前記制御手段によって前記定着器のクリーニングが実行された後に、前記定着器のクリーニングの実行後の印刷に用いられる種類のシートを前記シート保持部にセットするようユーザに促すことを特徴とする請求項１に記載の印刷装置。
【請求項４】
前記通知手段は、前記制御手段によって前記定着器のクリーニングが実行される前に、クリーニングを実行するためのシートを前記シート保持部にセットするようユーザに促すことを特徴とする請求項１乃至３のいずれか１項に記載の印刷装置。
【請求項５】
シート保持部から給紙されたシートに記録された画像の定着を行う定着器を備える印刷装置であって、
前記シート保持部から給紙されたシートによって前記定着器のクリーニングを実行するよう制御する制御手段と、
前記制御手段によって前記定着器のクリーニングが実行された後、印刷されるべき画像があっても、ユーザの指示を受け付けるまで印刷を制限する制限手段とを備えることを特徴とする印刷装置。
【請求項６】
前記印刷装置によって印刷されたシートの枚数をカウントするカウント手段を備え、
前記制御手段は、前記カウント手段によってカウントされたシートの枚数が所定の枚数に達した場合に、前記定着器のクリーニングを実行するよう制御することを特徴とする請求項１乃至５のいずれか１項に記載の印刷装置。
【請求項７】
前記制御手段は、前記シート保持部から給紙したシートにクリーニング用の画像を形成し、クリーニング用の画像が形成されたシートを前記定着器に通すことによって前記定着器のクリーニングを実行するよう制御することを特徴とする請求項１乃至６のいずれか１項に記載の印刷装置。
【請求項８】
シート保持部から給紙されたシートに記録された画像の定着を行う定着器を備える印刷装置であって、
第１の条件を満たした場合に、ユーザに前記定着器のクリーニングの実行を促す通知手段と、
前記通知手段によって前記定着器のクリーニングの実行を促した後に、前記クリーニングを行うか否かの指示をユーザから受け付ける受付手段と、
前記受付手段によって前記クリーニングを行わない指示を受け付け、前記クリーニングを実行せずに第２の条件を満たした場合に印刷を制限する制限手段とを有することを特徴とする印刷装置。
【請求項９】
前記第１の条件は、前記印刷装置によって印刷されたシートの枚数が第１の所定枚数に達したことであり、前記第２の条件は、前記印刷装置によって印刷されたシートの枚数が前記第１の所定枚数よりも多い第２の所定枚数に達したことであることを特徴とする請求項８に記載の印刷装置。
【請求項１０】
前記受付手段によって前記クリーニングを行う指示を受け付けた場合に、前記シート保持部からシートを給紙し、給紙されたシートによって前記定着器のクリーニングを実行するよう制御する制御手段をさらに有することを特徴とする請求項８または９に記載の印刷装置。
【請求項１１】
シート保持部から給紙されたシートに記録された画像の定着を行う定着器を備える印刷装置の制御方法であって、
前記シート保持部から給紙されたシートによって前記定着器のクリーニングを実行するよう制御する制御工程と、
前記制御工程で前記定着器のクリーニングが実行された後、前記定着器のクリーニングの実行後の印刷に用いられるシートを前記シート保持部にセットするようユーザに促す通知工程とを備えることを特徴とする印刷装置の制御方法。
【請求項１２】
シート保持部から給紙されたシートに記録された画像の定着を行う定着器を備える印刷装置の制御方法であって、
前記シート保持部から給紙されたシートによって前記定着器のクリーニングを実行するよう制御する制御工程と、
前記制御工程で前記定着器のクリーニングが実行された後、印刷されるべき画像があっても、ユーザの指示を受け付けるまで印刷を制限する制限工程とを有することを特徴とする印刷装置の制御方法。
【請求項１３】
シート保持部から給紙されたシートに記録された画像の定着を行う定着器を備える印刷装置の制御方法であって、
第１の条件を満たした場合に、ユーザに前記定着器のクリーニングの実行を促す通知工程と、
前記通知工程によって前記定着器のクリーニングの実行を促した後に、前記クリーニングを行うか否かの選択をユーザから受け付ける受付工程と、
前記受付工程によって前記クリーニングを行わないように選択され、前記クリーニングを実行せずに第２の条件を満たした場合に印刷を制限する制限工程とを有することを特徴とする印刷装置の制御方法。
【請求項１４】
請求項１１乃至１３のいずれか１項に記載の印刷装置の制御方法を、コンピュータに実行させるためのプログラム。
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
駐車位置情報を入力するための入力部と、
前記入力部による入力情報に基づいて券用紙に少なくとも駐車位置情報の表示に対応する印字又は記録を行う表示手段と、
前記券用紙に入場情報、駐車位置情報及び割引情報を含む情報を書き込む情報書き込み部と、を備えることを特徴とする駐車券処理端末装置。
【請求項２】
駐車位置情報を入力するための入力部と、
前記入力部による入力情報に基づいて駐車券に少なくとも駐車位置情報の表示に対応する印字又は記録を行う表示手段と、
前記駐車券に駐車位置情報及び割引情報を含む情報を書き込む情報書き込み部と、を備えることを特徴とする駐車券処理端末装置。
【請求項３】
前記割引情報は、駐車場の駐車位置に応じて駐車料金の割引を行う情報であることを特徴とする請求項１または請求項２に記載の駐車券処理端末装置。
【請求項４】
前記入力部は、操作キーからなるキー入力部であることを特徴とする請求項１から請求項３のいずれか一項に記載の駐車券処理端末装置。
【請求項５】
所定の情報を表示する表示部をさらに備え、前記入力部は、前記表示部に設けられたタッチパネル入力部であることを特徴とする請求項１から請求項４のいずれか一項に記載の駐車券処理端末装置。
【請求項６】
二次元コードを撮影するためのカメラをさらに備え、駐車場の任意の位置に駐車位置情報を表す二次元コードを表示しておき、前記カメラにより、前記二次元コードを撮影して駐車位置情報を取り込むことを特徴とする請求項１から請求項５のいずれか一項に記載の駐車券処理端末装置。
【請求項７】
前記表示手段は、前記券用紙又は前記駐車券に駐車位置情報を印字する印字部であることを特徴とする請求項１から請求項６のいずれか一項に記載の駐車券処理端末装置。
【請求項８】
前記印字部により印字される駐車位置情報は、駐車位置を駐車場のレイアウト略図により表示することを特徴とする請求項７に記載の駐車券処理端末装置。
【請求項９】
前記印字部により印字される駐車位置情報は、駐車場のレイアウト略図または駐車位置を表示するウェブサイトのＵＲＬ情報を含む二次元コードを表示することを特徴とする請求項７または請求項８に記載の駐車券処理端末装置。
【手続補正２】
【補正対象書類名】明細書
【補正対象項目名】０００９
【補正方法】変更
【補正の内容】
【０００９】
前記目的を達成するために請求項１の発明に係る駐車券処理端末装置は、駐車位置情報を入力するための入力部と、
前記入力部による入力情報に基づいて券用紙に少なくとも駐車位置情報の表示に対応する印字又は記録を行う表示手段と、
前記券用紙に入場情報、駐車位置情報及び割引情報を含む情報を書き込む情報書き込み部と、を備えることを特徴とする。
【手続補正３】
【補正対象書類名】明細書
【補正対象項目名】００１０
【補正方法】変更
【補正の内容】
【００１０】
請求項２に係る発明は、駐車位置情報を入力するための入力部と、
前記入力部による入力情報に基づいて駐車券に少なくとも駐車位置情報の表示に対応する印字又は記録を行う表示手段と、
前記駐車券に駐車位置情報及び割引情報を含む情報を書き込む情報書き込み部と、を備えることを特徴とする。
【手続補正４】
【補正対象書類名】明細書
【補正対象項目名】００１５
【補正方法】変更
【補正の内容】
【００１５】
請求項７に係る発明は、請求項１から請求項６のいずれか一項において、前記表示手段は、前記券用紙又は前記駐車券に駐車位置情報を印字する印字部であることを特徴とする。
請求項８に係る発明は、請求項７において、前記印字部により印字される駐車位置情報は、駐車位置を駐車場のレイアウト略図により表示することを特徴とする。
【手続補正５】
【補正対象書類名】明細書
【補正対象項目名】００１６
【補正方法】変更
【補正の内容】
【００１６】
請求項９に係る発明は、請求項７または請求項８のいずれか一項において、前記印字部により印字される駐車位置情報は、駐車場のレイアウト略図または駐車位置を表示するウェブサイトのＵＲＬ情報を含む二次元コードを表示することを特徴とする。
【手続補正６】
【補正対象書類名】明細書
【補正対象項目名】００１７
【補正方法】変更
【補正の内容】
【００１７】
請求項１に係る発明によれば、駐車場の所定の車室に車両が駐車した場合に、駐車券処理端末装置により、駐車位置情報を印字等するとともに、入場情報、駐車位置情報および必要な割引情報を書き込んだ駐車券を発行するようにしているので、駐車場に入場する際あるいは入場した後、所定の車室に駐車するまでに、時間が掛かってしまった場合でも、駐車した後の適正な時刻に駐車券を発行することができ、適正な駐車料金による精算が可能となる。また、駐車券に駐車位置情報を印字等するようにしているので、高価な車両誘導システムを導入することなく、駐車場の利用者が駐車位置を確実に認識することができ、自己の車両の駐車位置を迷うことがない。
【手続補正７】
【補正対象書類名】明細書
【補正対象項目名】００１８
【補正方法】変更
【補正の内容】
【００１８】
請求項２に係る発明によれば、駐車場の所定の車室に車両が駐車した場合に、駐車券処理端末装置により、外部から取り込んだ駐車券に、駐車位置情報を印字等するとともに、駐車位置情報および必要な割引情報を書き込むようにしているので、適正に駐車位置を特定することができるとともに、駐車位置に応じた割引を行うことができ、適正な駐車料金による精算が可能となる。また、駐車券に駐車位置情報を印字等するようにしているので、高価な車両誘導システムを導入することなく、駐車場の利用者が駐車位置を確実に認識することができ、自己の車両の駐車位置を迷うことがない。
【手続補正８】
【補正対象書類名】明細書
【補正対象項目名】００２３
【補正方法】変更
【補正の内容】
【００２３】
請求項８に係る発明によれば、印字部により印字される駐車位置情報を駐車位置を駐車場のレイアウト略図により表示するようにしているので、レイアウト略図により容易に駐車位置を認識することができる。
【手続補正９】
【補正対象書類名】明細書
【補正対象項目名】００２４
【補正方法】変更
【補正の内容】
【００２４】
請求項９に係る発明によれば、印字部により印字される駐車位置情報は、駐車場のレイアウト略図または駐車位置を表示するウェブサイトのＵＲＬ情報を含む二次元コードにより表示するようにしているので、二次元コードを携帯電話などで撮影して、ウェブサイトを閲覧することにより、容易に駐車位置を認識することができる。
【手続補正書】
【提出日】平成26年10月29日(2014.10.29)
【手続補正１】
【補正対象書類名】明細書
【補正対象項目名】００１６
【補正方法】変更
【補正の内容】
【００１６】
キャッシュ制御部２４は、ＣＰＵ２１から入力される指示に従い、キャッシュメモリ部１３との間でデータの書き込みや読出しの処理を行う。このキャッシュ制御部２４は、ＣＰＵ２１からデータの書き込み指示を受けると、書込み対象となるデータにエラー訂正符号を付して、このエラー訂正符号を含むデータをキャッシュメモリ部１３に書き込む。またこのキャッシュ制御部２４は、ＣＰＵ２１から入力される読出し指示に従ってキャッシュメモリ部１３から読み出したデータに含まれるエラー訂正符号を用いてデータのエラー訂正を行い、エラー訂正後のデータをＣＰＵ２１の指示に従い転送先のアドレスにデータを出力する。フラッシュメモリインタフェース２５は、ＣＰＵ２１から入力される指示に従い、フラッシュメモリ部１４との間でデータの書き込みや読出しを行う。
【手続補正２】
【補正対象書類名】明細書
【補正対象項目名】００１８
【補正方法】変更
【補正の内容】
【００１８】
キャッシュメモリ部１３は、フラッシュメモリとは異なる種類の不揮発性メモリを含む。このような不揮発性メモリとしては、ＦｅＲＡＭ（Ferroelectric RAM）やＭＲＡＭ（Magnetoresistive RAM）等がある。本実施の形態では、このキャッシュメモリ部１３には、フラッシュメモリとは異なる種類の不揮発性メモリをそれぞれに含んだ、ｎ（ｎ≧２）個の不揮発性メモリユニット１３０ａ，ｂ，…が含まれる。キャッシュメモリ部１３は、コントローラ部１１から入力される指示に従い、データを保持する。またこのキャッシュメモリ部１３は、コントローラ部１１から入力される指示に従って、保持しているデータを読み出してコントローラ部１１に出力する。
【手続補正３】
【補正対象書類名】明細書
【補正対象項目名】００２１
【補正方法】変更
【補正の内容】
【００２１】
本実施の形態においては、図３（ａ）に例示するように、コントローラ部１１のキャッシュ制御部２４から、複数の不揮発性メモリユニット１３０ａ，ｂ…のそれぞれに対応したデバイスセレクト信号線ＣＳ0＃，ＣＳ1＃…、上位バイトのセレクト信号線ＵＢ0＃，ＵＢ1＃…、下位バイトのセレクト信号線ＬＢ0＃，ＬＢ1＃…、デバイスへの書込み許可信号線ＷＥ0＃，ＷＥ1＃…、デバイスからの読出し許可信号線ＲＥ0＃，ＲＥ1＃…が引出され、対応する不揮発性メモリユニット１３０ａ，ｂ…に接続されている。なお、書込み許可信号線と読出し許可信号線、及び、上位バイトのセレクト信号線と下位バイトのセレクト信号線は、それぞれ一つの信号線であってもよい。この場合、信号のＨ／Ｌのいずれかによって、書込み・読出しのいずれをイネーブル（Enable）とするかを定める。また上位・下位のどちらのバイトを選択するかを信号のＨ／Ｌのいずれかによって定める。
【手続補正４】
【補正対象書類名】明細書
【補正対象項目名】００２４
【補正方法】変更
【補正の内容】
【００２４】
そしてキャッシュ制御部２４は、データ信号線に、書き込むべきデータ（３２ビット幅）を出力する。不揮発性メモリユニット１３０ａ，ｂ…に含まれるＭＲＡＭ等は、デバイスセレクト信号線ＣＳn＃がアサートされたあと、書込み許可信号線ＷＥn＃等がイネーブルの状態になったとき、所定の時間が経過してからデータ信号線ＤＱにあるデータを取込んで、アドレス信号線を介して入力されるアドレスへ書き込む。このとき不揮発性メモリユニット１３０ａには、データ信号線ＤＱ0，…ＤＱ(j-1)（ｊ＝（ｓ＋１）／ｎ）が接続され、不揮発性メモリユニット１３０ｂには、データ信号線ＤＱ(j)，…ＤＱ(2j-1)（ｊ＝（ｓ＋１）／ｎ）が接続され…というように、それぞれ接続されているので、各不揮発性メモリユニット１３０ａ，ｂ…にデータが分割されて記録された状態となる。
【手続補正５】
【補正対象書類名】明細書
【補正対象項目名】００２５
【補正方法】変更
【補正の内容】
【００２５】
つまりこのキャッシュ制御部２４は、本実施の形態のこの例では、上述のように接続したことで、ｍ＝ｎ個に分割して分割したデータを生成し、ｎ個の不揮発性メモリユニット１３０ａ，ｂ…に対して、当該分割して得たｍ個の分割データをそれぞれ書き込むことになる。
またこの例のキャッシュ制御部２４は、ＣＰＵ２１からデータの読出し指示を受け入れると、アドレス信号線に、読出すべきデータを格納したアドレスを表す情報を出力する。そして各不揮発性メモリユニット１３０ａ，ｂ…に対応するデバイスセレクト信号線ＣＳn＃を一斉にアサートし、デバイスへの読出し許可信号線ＲＥn＃を一斉にイネーブルの状態に設定する。
【手続補正６】
【補正対象書類名】明細書
【補正対象項目名】００２６
【補正方法】変更
【補正の内容】
【００２６】
不揮発性メモリユニット１３０ａ，ｂ…に含まれるＭＲＡＭ等は、アドレス信号線にアドレスが出力されてから所定の時間が経過した後に、データ信号線ＤＱ＃に、読出したデータを出力することになる。そこでキャッシュ制御部２４は、アドレス信号線にアドレスを出力してから所定の時間が経過した後のデータ信号線ＤＱ＃のデータを取込む。このとき不揮発性メモリユニット１３０ａには、データ信号線ＤＱ0，…ＤＱ(j-1)（ｊ＝（ｓ＋１）／ｎ）が接続され、不揮発性メモリユニット１３０ｂには、データ信号線ＤＱ(j)，…ＤＱ(2j-1)（ｊ＝（ｓ＋１）／ｎ）が接続され…というように、それぞれ接続されているので、各不揮発性メモリユニット１３０ａ，ｂ…から得られた各ビットのデータを順番通りに連接したデータが、ＤＱ0，…ＤＱsの各データ信号線に現れる。キャッシュ制御部２４は、このデータを取り出してＣＰＵ２１の指示に従い、転送先アドレスにデータを出力する。
【手続補正７】
【補正対象書類名】明細書
【補正対象項目名】００２７
【補正方法】変更
【補正の内容】
【００２７】
また本実施の形態の別の例では、図３（ｂ）に例示するように、コントローラ部１１のキャッシュ制御部２４が、複数のチャネルを制御するチャネル制御部３１ａ，ｂ…と、各チャネルに共通するアドレス設定部３５、データ設定部３６及び、調停部３７とを有し、各チャネルにキャッシュメモリ部１３がそれぞれ接続されてもよい。各チャネル制御部３１ａ，ｂ…は、それぞれ独立したデータ転送部３２ａ，ｂ…を有する。このデータ転送部３２は例えばＤＭＡＣ（Direct Memory Access Controller）を含んでなり、記憶部２２内の指定されたアドレスから、対応するチャネルの不揮発性メモリユニット１３０の指定されたアドレスへデータを転送する。
【手続補正８】
【補正対象書類名】明細書
【補正対象項目名】００４５
【補正方法】変更
【補正の内容】
【００４５】
そしてＣＰＵ２１は、このＤＭＡ設定処理を各チャネルについて行った後は、データ転送部３２がデータ転送中であったとしても、他の処理を行うことができる（Ｐ１）。
【手続補正９】
【補正対象書類名】図面
【補正対象項目名】図３
【補正方法】変更
【補正の内容】
【図３】
2013235347.tif 000001
【手続補正１０】
【補正対象書類名】図面
【補正対象項目名】図５
【補正方法】変更
【補正の内容】
【図５】
2013235347.tif 000002
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
ペプチドまたはポリペプチド配列のコンビナトリアルライブラリーを産生する方法であって、コンビナトリアルオリゴヌクレオチド合成を用いて、前記ペプチドまたはポリペプチド配列の２つ以上のアミノ酸位置に、アミノ酸側鎖の化学的多様性を導入する手順を含む方法。
【請求項２】
前記アミノ酸側鎖の化学的多様性は、前記ペプチドまたはポリペプチド配列の天然の多様性を模倣するように設計される、請求項１に記載の方法。
【請求項３】
前記ライブラリーは、抗体ライブラリーである、請求項１または請求項２に記載の方法。
【請求項４】
前記抗体ライブラリーは、抗体の重鎖可変ドメイン配列を含む、請求項３に記載の方法。
【請求項５】
前記ライブラリーは、抗体の軽鎖可変ドメイン配列を含む、請求項３に記載の方法。
【請求項６】
前記ライブラリーは、コンビナトリアル一本鎖可変フラグメント（ｓｃＦｖ）ライブラリーである、請求項３に記載の方法。
【請求項７】
前記抗体ライブラリーは、Ｆａｂ、Ｆａｂ’、またはＦ（ａｂ’）２フラグメントのライブラリーである、請求項３に記載の方法。
【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
ハードウェアリソースと、
セキュアモニタを実行させる論理プロセッサとを有し、
前記セキュアモニタは、非セキュアオペレーティングシステムと、非セキュア環境で実行された非セキュアアプリケーションとのうち少なくとも一方を含む非セキュア環境からの、及びセキュアカーネルとセキュアアプリケーションとのうち少なくとも一方を含むセキュア環境からの、前記ハードウェアリソースへのアクセスを制御する、
プロセッサ。
【請求項２】
前記セキュアモニタはセキュアな起動を開始し、前記論理プロセッサは、
前記プロセッサに関連するセキュアメモリに、セキュアコードのコピーと、前記セキュアコードのトラステッドコピーのデジタル署名とを格納し、
前記デジタル署名と暗号鍵とを用いて前記セキュアモニタのコピーを認証し、
認証されたとき、前記セキュアコードの実行を開始する、
請求項１に記載のプロセッサ。
【請求項３】
前記セキュアモニタは、前記非セキュアオペレーティングシステム、非セキュアアプリケーション、セキュアカーネル、セキュアアプリケーションより高い特権レベルを有する、
請求項１に記載のプロセッサ。
【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
複数ページからなる文書ファイルであって、前記複数ページ各々にページ番号が付与されている前記文書ファイルを記憶する記憶部と、
表示部と、
操作部と、を備える表示装置で実行される表示プログラムであって、
前記ページ毎に当該ページの内容を表す複数のサムネイル画像を作成する作成処理と、
前記操作部によるスクロール操作が受け付けられている場合、前記作成処理によって作成された複数のサムネイル画像各々に対応する各ページに付与された前記ページ番号を、当該複数のサムネイル画像の上に重ねて前記表示部に表示するとともに、当該複数のサムネイル画像を、前記ページ番号が重ねられた状態で前記スクロール操作に応じた方向に移動させて前記表示部に表示する第１表示処理と、
前記操作部によるスクロール操作が受け付けられていない場合、前記作成処理によって作成された複数のサムネイル画像各々に対応する各ページに付与された前記ページ番号を前記表示部に表示することなく、前記作成処理によって作成された複数のサムネイル画像を前記表示部に表示する第２表示処理と、
を前記表示装置に実行させる表示プログラム。
【請求項２】
請求項１に記載の表示プログラムであって、
前記第１表示処理において、前記スクロール操作が終了したかを判断する判断処理と、
前記判断処理により前記スクロール操作が終了したと判断した場合、前記スクロール操作の終了のタイミング、又は、前記サムネイル画像の移動の終了のタイミングに基づいて前記ページ番号を非表示にする、表示プログラム。
【請求項３】
請求項１又は請求項２に記載の表示プログラムであって、
前記第１表示処理において、前記ページ番号を前記サムネイル画像の画像領域内に表示する、表示プログラム。
【請求項４】
請求項１乃至請求項３のいずれか一項に記載の表示プログラムであって、
前記第１表示処理において、前記表示部に一部の領域のみが表示されている前記サムネイル画像についても前記ページ番号を表示する、表示プログラム。
【請求項５】
請求項１乃至請求項４のいずれか一項に記載の表示プログラムであって、
前記第１表示処理において、前記サムネイル画像のサイズに応じて前記ページ番号を拡大又は縮小して表示する、表示プログラム。
【請求項６】
請求項１乃至請求項５のいずれか一項に記載の表示プログラムであって、
前記表示部に表示されている前記サムネイル画像を選択する選択処理を前記表示装置に実行させ、
前記選択処理において、選択したサムネイル画像であることを示す図形を当該選択した前記サムネイル画像の上に重ねて表示し、
前記第１表示処理において、前記ページ番号と前記図形とを前記サムネイル画像に重ねて表示する、表示プログラム。
【請求項７】
請求項１乃至請求項６のいずれか一項に記載の表示プログラムであって
前記サムネイル画像が表示される前に、各前記サムネイル画像の表示領域を示す表示領域画像を前記表示部に表示するとともに、各前記表示領域画像の上に前記サムネイル画像の前記ページ番号を重ねて表示し、前記サムネイル画像が表示されるタイミングに基づいて前記表示領域画像及び前記ページ番号を非表示にする初期表示処理を前記表示装置に実行させる、表示プログラム。
【請求項８】
請求項１乃至請求項７のいずれか一項に記載の表示プログラムであって、
前記操作部によって拡大縮小操作が受け付けられると、前記サムネイル画像を前記拡大縮小操作に応じたサイズに拡大又は縮小する拡大縮小処理と、
前記拡大縮小処理に応じて、前記表示部に表示する前記サムネイル画像の数を変更する変更処理と、
を前記表示装置に実行させ、
前記拡大縮小処理において、拡大又は縮小後の前記サムネイル画像を表示する前に、前記表示部に拡大又は縮小後の各前記サムネイル画像の表示領域を示す表示領域画像を表示するとともに、各前記表示領域画像の上に前記サムネイル画像の前記ページ番号を重ねて表示し、拡大又は縮小した前記サムネイル画像を表示するタイミングに基づいて前記表示領域画像及び前記ページ番号を非表示にする、表示プログラム。
【請求項９】
請求項１乃至請求項８のいずれか一項に記載の表示プログラムであって、
前記作成処理により前記サムネイル画像を作成中、各前記サムネイル画像の表示領域を示す表示領域画像を前記表示部に表示するとともに、各前記表示領域画像の上に前記ページ番号を重ねて表示する、表示プログラム。
【請求項１０】
複数ページからなる文書ファイルであって、前記複数ページ各々にページ番号が付与されている前記文書ファイルを記憶する記憶部と、
表示部と、
操作部と、
制御部と、を備える表示装置であって、
前記制御部は、
前記ページ毎に当該ページの内容を表す複数のサムネイル画像を作成する作成処理と、
前記操作部によるスクロール操作が受け付けられている場合、前記作成処理によって作成された複数のサムネイル画像各々に対応する各ページに付与された前記ページ番号を、当該複数のサムネイル画像の上に重ねて前記表示部に表示するとともに、当該複数のサムネイル画像を、前記ページ番号が重ねられた状態で前記スクロール操作に応じた方向に移動させて前記表示部に表示する第１表示処理と、
前記操作部によるスクロール操作が受け付けられていない場合、前記作成処理によって作成された複数のサムネイル画像各々に対応する各ページに付与された前記ページ番号を前記表示部に表示することなく、前記作成処理によって作成された複数のサムネイル画像を前記表示部に表示する第２表示処理と、
を実行する表示装置。
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
光源を有する車両ヘッドランプであって、前記光源は複数の光電素子を有し、前記光電素子の少なくとも一つの光束が点灯時少なくとも５ルーメン（ｌｍ）であり、前記光源により生成された光ビームは、実質的に異なるスペクトル特性を持つ少なくとも二つのビームセグメントを有し、前記異なるスペクトル特性は、前記光電素子の適宜の組み合わせによりもたらされる、車両ヘッドランプ。
【請求項２】
前記ビームセグメントの一つのスペクトル特性が薄明視に適合するように調整される、請求項１に記載の車両ヘッドランプ。
【請求項３】
前記ビームセグメントはそれぞれ、前記複数の光電素子のうち選択的にスイッチオンされた光電素子から生じた光ビームにより生成されることを特徴とする請求項１又は２に記載の車両ヘッドランプ。
【請求項４】
前記光電素子の光束を互いに対して変化させる手段を備えることを特徴とする請求項１乃至３のいずれか一項に記載の車両ヘッドランプ。
【請求項５】
発光ダイオードを有することを特徴とする請求項１乃至４のいずれか一項に記載の車両ヘッドランプ。
【請求項６】
請求項１乃至５のいずれか一項に記載のヘッドランプを備える車両。
【請求項７】
前記光電素子の光束を互いに対して変化させる手段を備えることを特徴とする請求項６に記載の車両。
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
偏光板と光拡散層と反射型偏光子とプリズムシートとをこの順に含み、
該偏光板と該プリズムシートとが一体化されており、
該光拡散層のヘイズ値が５０％〜９５％である、
光学部材。
【請求項２】
前記プリズムシートが、前記反射型偏光子と反対側に凸となる柱状の単位プリズムが複数配列されて構成されている、請求項１に記載の光学部材。
【請求項３】
前記光拡散層と前記プリズムシートのプリズム部との距離が７５μｍ〜２５０μｍである、請求項１または２に記載の光学部材。
【請求項４】
前記光拡散層が光拡散粘着剤で構成されている、請求項１から３のいずれかに記載の光学部材。
【請求項５】
背面側偏光板として用いられる請求項１から４のいずれかに記載の光学部材と、視認側偏光板とを含む、偏光板のセット。
【請求項６】
液晶セルと、該液晶セルの視認側に配置された偏光板と、該液晶セルの視認側と反対側に配置された請求項１から４のいずれかに記載の光学部材とを有する、液晶表示装置。